(57)【要約】【課題】  ガスに含まれる有害ガスの洗浄度を向上させた、簡易なガス洗浄装置を提供することにある。【解決手段】  水溶性の有害ガスを含むガスを水中に送気して気液接触での水洗浄により前記有害ガスを除去するガス洗浄装置であって、その上部に空間を有して水を収容する密閉容器と、前記密閉容器の壁部を貫通し、その端部の開口を前記水中に没入させて前記ガスを水中に送気、導入するガス導入管と、前記密閉容器の壁部を貫通し、その端部の開口を前記空間に配置して水により洗浄されたガスを前記密閉容器の外側に排気、導出するガス導出管と、前記ガス導入管の端部の開口を前記水中に、前記ガス導出管の端部の開口を前記密閉容器の空間に維持しつつ、連続的又は断続的に水の供給と排出を同時に行う給排水手段とを備えることを特徴とするガス洗浄装置。【選択図】図１
2015066548.tif 000002
【特許請求の範囲】
【請求項１】
水溶性の有害ガスを含むガスを水中に送気して気液接触での水洗浄により前記有害ガスを除去するガス洗浄装置であって、
その上部に空間を有して水を収容する密閉容器と、
前記密閉容器の壁部を貫通し、その端部の開口を前記水中に没入させて前記ガスを水中に送気、導入するガス導入管と、
前記密閉容器の壁部を貫通し、その端部の開口を前記空間に配置して水により洗浄されたガスを前記密閉容器の外側に排気、導出するガス導出管と、
前記ガス導入管の端部の開口を前記水中に、前記ガス導出管の端部の開口を前記密閉容器の空間に維持しつつ、連続的又は断続的に水の供給と排出を同時に行う給排水手段と
を備えることを特徴とするガス洗浄装置。
【請求項２】
前記密閉容器が耐圧性容器であり、かつ、前記ガス導入管の他端を、前記有害ガスを発生する被包装体を減圧包装する減圧包装手段に連通して連結し、前記ガス導出管の他端を減圧手段に連通して連結することを特徴とする請求項１記載のガス洗浄装置。
【請求項３】
前記有害ガスが金属を腐食する二酸化塩素ガスであり、前記被包装体が二酸化塩素発生剤でることを特徴とする請求項２記載のガス洗浄装置。
【発明の詳細な説明】
【技術分野】
【０００１】  本発明は、ガス洗浄装置、詳しくは、ガスに含まれる水溶性の有害ガスを気液接触での水洗浄により効率よく除去する簡易なガス洗浄装置に関する。
【背景技術】
【０００２】  従来、ガスに含まれる有害ガスを水により洗浄、除去する簡易な一般的方法として、例えば、その上部に空間を有して水を貯留する密閉容器の水中に、有害ガスを含むガスを吹き込んで気液接触により有害ガスを溶解させて除去し、そして、この水により洗浄されたガスを密閉容器の空間から外に取り出すようにした方法（以下「従来方法」ということもある。）等が知られている。【０００３】  また、例えば、二酸化塩素発生剤等を容器（袋）に減圧包装（例示：真空包装）する場合、減圧包装の過程において有害な二酸化塩素ガスが発生するが、この有害ガスが、例えば、真空ポンプ等の減圧手段の金属部材を腐食させることから、有害ガスを上記従来方法により除去することが考えられる。
【発明の概要】
【発明が解決しようとする課題】
【０００４】  しかしながら、このような従来方法は、簡易ではあるが、有害ガスの水による洗浄、除去が不十分であり、また、例えば、ガスに含まれる有害ガスが上記したような水に対するかなりの溶解度を有する二酸化塩素ガスの場合であっても、上記従来方法により水で洗浄されたガスには相当量の二酸化塩素ガスが除去されないで残留しているという問題点を有する。
【課題を解決するための手段】
【０００５】  本発明は、このような従来の技術の有する課題に鑑みてなされたものであって、その目的とするところは、ガスに含まれる有害ガスの水による洗浄度を向上させた、簡易なガス洗浄装置を提供することにある。【０００６】  本発明者は、上記の目的を達成すべく種々検討した結果、密閉容器内に空間を有して貯留されている水を有害ガスの水洗浄中に入れ替えること、すなわち、洗浄用水を給排することにより、有害ガスの水による洗浄度を向上させることができること等の新知見を得、これらの知見に基づき本発明を完成するに至った。【０００７】  本発明は、これに限定されるものではないが、以下の発明を包含する。
（１）水溶性の有害ガスを含むガスを水中に送気して気液接触での水洗浄により前記有害ガスを除去するガス洗浄装置であって、
その上部に空間を有して水を収容する耐圧性容器と、
前記容器の壁部を貫通し、その端部の開口を前記水中に没入させて前記ガスを水中に送気、導入するガス導入管と、
前記容器の壁部を貫通し、その端部の開口を前記空間に配置して水により洗浄されたガスを前記容器の外側に排気、導出するガス導出管と、
前記ガス導入管の端部の開口を前記水中に、前記ガス導出管の端部の開口を前記空間に維持しつつ、連続的又は断続的に水の供給と排出を同時に行う給排水手段と
を備えることを特徴とするガス洗浄装置。
（２）前記ガス導入管の他端を、前記有害ガスを発生する被包装体を減圧包装する減圧包装手段に連通して連結し、前記ガス導出管の他端を減圧手段に連通して連結することを特徴とする（１）に記載のガス洗浄装置。
（３）前記有害ガスが金属を腐食する二酸化塩素ガスであり、前記被包装体が二酸化塩素発生剤でることを特徴とする（２）に記載のガス洗浄装置。
【発明の効果】
【０００８】    本発明によれば、密閉容器内に空間を有して貯留されている水を有害ガスの水洗浄中に給排して入れ替えること等としたため、ガスに含まれる有害ガスの水による洗浄度を向上させ得る、簡易なガス洗浄装置を提供することができる。
【図面の簡単な説明】
【０００９】
【図１】は、本発明のガス洗浄装置の一実施形態を示す説明用概略図である。
【図２】は、図１に示すガス洗浄装置と実質的に同様のガス洗浄装置が被包装体の減圧包装に適用された例を示す説明用概略図である。
【発明を実施するための形態】
【００１０】  以下、本発明について、図面を参照しつつ更に詳細に説明する。
本発明において、ガスに含まれる有害なガスとは、典型的には空気中に含まれるものであって、例えば、その濃度にもよるが、人体、各種機器等に害をもたらすガスであり、亜硫酸ガス、アンモニア、二酸化塩素等が例示される。
【００１１】  図１は、本発明のガス洗浄装置の一実施形態を示す説明用概略図である。
同図において、ガス洗浄装置１は、密閉容器２と、密閉容器２の壁部２ａを内外に貫通する管であって有害ガスを含むガスを導入するガス導入管３及び水により洗浄されたガスを外側に排気、導出するガス導出管４と、洗浄用水を供給すると同時にガスを洗浄した水を排出する給排水手段５とを備えている。
なお、密閉容器２としては、耐圧性容器が好ましく、また、その材料としては、例えば、ガラス製、ステンレス鋼製、プラスチック製等が挙げられる。
また、密閉容器２の形状、容量等は、特に制限されず、適宜のものが採用される。
【００１２】  密閉容器２（例示：有蓋の略円筒形容器）内には水６が収容されており、水６の上部には空間７が形成されている。
また、ガス導入管３の端部の開口３ａは水６中に十分に没入させ、一方のガス導出管４の端部の開口４ａは空間７に配置されている。
更に、給排水手段５は、水源８に連通し、例えば、給水ポンプ５ａ、密閉容器２に連通する給水管５ｂ及び密閉容器２に連通する排水管５ｃ、これに連結する排水ポンプ５ｄ等から成り、ガス導入管３の端部の開口３ａを水６中に、ガス導出管４の端部の開口４ａを空間７に維持しつつ、連続的又は断続的に洗浄用水の供給とガスを洗浄した水の排出を同時に行う様に構成されている。
なお、配管系等においては、適宜箇所に開閉弁（ｖ１〜ｖ５）等が設けられている。
【００１３】  本発明の最も特徴とするところは、上記従来方法によるガス洗浄装置に、上記のごとく、給排水手段５を付加し、以て、有害ガスの水への溶解を促して水による洗浄効果を向上させることにある。
【００１４】  ここで、ガス洗浄装置１を用いて有害ガスを含むガスを水により洗浄する方法について説明する。
なお、水により洗浄するガスは、加圧、減圧等のいずれのものであってもよい。
先ず、有害ガスを含むガスがガス源（不図示）から適宜の送気手段（不図示）により密閉容器２に送気される。
具体的には、ガス源からダイアフラムポンプ等の送気手段によりガス導入管３を介して密閉容器２へ送気する方法、ガス導出管４に連結した吸引手段（送気手段として機能する。）によりガス源に連結したガス導入管３を介して密閉容器２内に吸引して送気する方法等が挙げられる。
そして、送気されたガスは、密閉容器２内の水６中にガス導入管３の開口３ａから放出され、気液接触によって、水溶性の有害ガスが水６に溶解して除去され、ガスが水により洗浄される。
【００１５】  このガスの水洗浄中において、上記したごとく、ガス導入管３の端部の開口３ａを水６中に、ガス導出管４の端部の開口４ａを空間７に維持しつつ、給排水手段５で連続的又は断続的に適宜の流速で水の供給と排出とが同時に行なわれる。このことによって、水溶性の有害ガスが溶解された水が新たな洗浄用水と入れ替わって系外に排出さることから、有害ガスの水への溶解を促し、その結果、ガスの水による洗浄度を向上させることができるのである。
【００１６】  なお、上記のごとく、ガスの水洗浄中は、気体導入管３の端部の開口３ａを水６中に、ガス導出管４の端部の開口４ａを空間７に維持することが必要条件であることから、水により洗浄するガスが加圧又は減圧ガスである場合には、密閉容器２内のガス圧力により水位が当該条件を充足しなくなるのを防ぐために、給排水手段５については、当該ガス圧力の影響を受けない手段が採用される。すなわち、給排水手段５のポンプとして、ガス圧力には関係なく上記条件を充足して給排水できる容積式ポンプの給水ポンプ５ａ、排水ポンプ５ｄがそれぞれ給水側と排水側に設けられる。
また、液面センサー（不図示）を用いて液面（水面）を一定にするように、排水ポンプ５ｄを駆動させてもよい。
【００１７】  このようにして、上記ガスの水洗浄中には、洗浄用水が水源８から容積式の給水ポンプ５ａにより給水管５ｂを介して、例えば、連続的に適宜の流速で密閉容器２内に給水され、それと同時に、ガスを洗浄した水が容積式の排水ポンプ５ｄにより排水管５ｃを介して連続的に給水と同様の適宜の流速で系外に排出される。
そして、水により洗浄されたガスは密閉容器２内の空間７に上昇し、その開口４ａからガス導出管４を介して密閉容器２の外側に排気、導出される。
なお、同図中の矢印は、ガスの流れ方向を示す。
【００１８】  図２は、図１に示すガス洗浄装置と実質的に同様のガス洗浄装置が被包装体の、例えば、真空包装等の減圧包装に適用された例を示す説明用概略図である。
同図において、ガス洗浄装置１の密閉容器２として耐圧性容器が用いられ、そして、ガス導入管３の他端が、有害ガスを発生する被包装体を減圧包装する減圧包装手段（フレキシブルな容器（袋）が内在する。）１０に連通して連結され、また、ガス導出管４の他端が、例えば、真空ポンプ等の減圧手段２０に連通して連結されている。
【００１９】  本実施形態では、上記のごとく、ガス導出管４の他端が減圧手段２０に連結されていることから、図１における排水管５ｃ及び排水ポンプ５ｄからなる排水側の給排水手段５に代えて、ガス導出管４の端部の開口４ａが制御しようとする液面（水面）の位置に配置されていて、給水ポンプ５ａにより連続的又は断続的に供給されたと同じ水量が開口４ａから空間７の洗浄されたガスと共に減圧手段２０で吸引され、そして、減圧手段２０の上流に設けられた気液分離装置３０により水が開閉弁ｖ６を介して系外に排出され、また、ガスは、減圧手段２０の方向に吸引され、排出される。
【００２０】  なお、本実施形態において、上記したガス導出管４の端部の開口４ａの配置位置については、具体的には、給水ポンプ５ａが停止状態の時では、水面と略同位置であるが、上記のごとく、空間７の洗浄されたガスもガス導出管４を介して排気、導出されることから、実質的に空間７に位置していることになり、本発明の、ガス導出管４の端部の開口４ａを空間７に維持するという条件を充足している。
そして、本実施形態では、ガス導出管４、気液分離装置３０及び減圧手段２０は、給排水手段５の一つとして機能することになる。
また、同図中の矢印は、ガス又はガスと水の流れ方向を示す。
【００２１】  上記有害ガスとしては、例えば、水溶性の二酸化塩素ガス等の金属を腐食するガス等が挙げられ、上記被包装体としては、例えば、二酸化塩素発生剤等が挙げられる。
更に、減圧包装手段１０は、例えば、被包装体をガス不透過性で、フレキシブルな包装材料からなる容器（袋）に減圧下で包装する手段等であって、ノズル式やチャンバー式などの真空包装機等、公知のものが有効に用いられる。
なお、気液分離装置３０についても、水とガスを分離するものであればよく、公知のものが有効に用いられる。
【００２２】  そして、上記被包装体を減圧包装するに際し、減圧包装手段１０において発生する有害ガス（例示：二酸化塩素ガス）は、減圧手段２０（例示：真空ポンプ）によってその系が減圧状態に維持されていることから、ガス導入管３を介して密閉容器２（例示：耐圧性容器）内に収容されている水６中に導かれ、気液接触によって有害ガスが除去される。水で洗浄されたガスは、水６の上方の空間７に放出され、ガス導出管４を介して減圧手段２０に導かれ、系外に排出される。
【００２３】  上記ガスの水洗浄中には、洗浄用水が水源８から容積式の給水ポンプ５ａにより給水管５ｂを介して、例えば、連続的に適宜の流速で密閉容器２内に給水され、それと同時に、ガスを洗浄した水が、上記したごとく、水で洗浄されたガスと共にガス導出管４の端部の開口４ａから減圧手段２０により吸引されて気液分離装置３０から連続的に給水と同様の適宜の流速で系外に排出される。
このようにすることによって、上記のごとく、有害ガスの水への溶解を促し、その結果、ガスの水による洗浄度を向上させることができる。
【符号の説明】
【００２４】１  ガス洗浄装置
２  密閉容器
３  ガス導入管
３ａ  ガス導入管の端部の開口
４  ガス導出管
４ａ  ガス導出管の端部の開口
５  給排水手段
５ａ  給水ポンプ
５ｂ  給水管
５ｃ  排水管
５ｄ  排水ポンプ
６  水
７  空間
８  水源
１０  減圧包装手段
２０  減圧手段
３０  気液分離装置
【図１】
2015066548.tif 000003
【図２】
2015066548.tif 000004